(57)【要約】【課題】    収納や運搬、また組み立て作業を容易とし、避難の際のプライベートな空間を確保するとともに、クッション性に優れ、快適な温度管理を実現できる災害用仕切りエアーマットを提供すること。【解決手段】  本発明の災害用仕切りエアーマットは、エアーを注入することにより膨張する床面体と、床面体に立設される側面体および背面体とで構成され、前記側面体および背面体は、床面体上に等間隔で複数立設されていることを特徴とする。  また、前記側面体および背面体を形状安定ロープにて連結すること、前記背面体に床面体の上面および前面を覆うシート材を装着すること、および前記床面体に冷気または暖気を送風する送風機を設置することが望ましい。【選択図】図１
2012057454.tif 000002
【特許請求の範囲】
【請求項１】
エアーを注入することにより膨張する床面体と、床面体に立設される側面体および背面体とで構成され、前記側面体および背面体は、床面体上に等間隔で複数立設されていることを特徴とする災害用仕切りエアーマット。
【請求項２】
前記側面体および背面体を形状安定ロープにて連結した請求項１記載の災害用仕切りエアーマット。
【請求項３】
前記背面体に、床面体の上面および前面を覆うシート材を装着した請求項１または２記載の災害用仕切りエアーマット。
【請求項４】
前記床面体に、冷気または暖気を送風する送風機を設置した請求項１乃至３のうちいずれか一項に記載の災害用仕切りエアーマット。
【請求項５】
エアーを注入することにより膨張する床面体および側面体と、床面体および側面体を立設した際に、背部を形成する背面体と、から形成される災害用仕切りエアーマット。
【請求項６】
前記エアーマットを、接続具を介して複数連結した請求項５記載の災害用仕切りエアーマット。
【発明の詳細な説明】
【技術分野】
【０００１】  本発明は、災害が発生した際、手軽に設置できるとともに、多くの避難者のプライバシーやスペースの確保ができ、さらに避難生活で起こるストレスを軽減できる災害用仕切りエアーマットに関する。
【背景技術】
【０００２】  地震や火災、また風水害が発生した際、災害地域の避難者は体育館や公民館等の公共施設に避難する。通常、体育館等に避難する場合、避難者は地域で用意された毛布等の寝具を使用して就寝をする。【０００３】  しかし、体育館等の広い場所で、複数の家族が寝泊りするのは、プライベートが守られず不快な思いを強いられた。また、気温の低い冬季や高温の夏季では、室温が極端になり、快適な生活を送ることはできなかった。さらに硬い床面に横臥しなければならず、身体的にも苦痛を得ることになった。
【先行技術文献】
【特許文献】
【０００４】  それらの問題を解消するために、災害が発生し、地域住民が多数、体育館などの公共施設に避難したとき、その避難所において、それぞれプライバシーを最低限保護することができるパーテーションであって、低コストで製造でき、軽量であって容易に輸送でき、保管にスペースをとらず、かつ、必要なときの現場で簡単に、各被災者自身の手でも組み立てることができて、使用後は再度分解して保管することができる避難所用の組立て式パーテーションがある（例えば、特許文献１参照）。
上掲特許文献１の避難所用の組立て式パーテーションは、軽量で剛性を有する板状の材料で製造した、ボード部材および棚部材を主たる構成要素としてなり、ボード部材は、長方形の板を長手方向に適宜の割合で分割した折り目により、フロントボード部分およびサイドボード部分を分け、この折り目からほぼ直角に曲げて断面Ｌ字型としたものであり、棚部材が、ほぼ長方形の板の中央部を棚板、その両側を移行部分で直角に折り曲げて両方の脚とし、棚板と脚の両縁を折り曲げ、重なる部分をカットしてリブを形成し、このようにして用意した棚を上記のボード部材のＬ字型の内側の隅に当接し、サイドボード部分に設けた孔と、サイドボード部分に接する一方の脚の対応する位置に設けた孔とを、またフロントボード部分に設けた孔と他方の脚のリブの対応する位置に設けた孔とを、一組のジョイント部分で両側から固定してなることを特徴とする。
【特許文献１】特開２００７−１３８５３８号公報
【発明の開示】
【発明が解決しようとする課題】
【０００５】  しかしながら、上掲特許文献１の避難所用の組立て式パーテーションは、組み立てする際、多くの作業工程が必要になるとともに、材料を製造するのにコストアップに繋がるという問題があった。また、気温の低い冬季や高温になる夏季の避難生活においては、つらい条件を強いられるという欠点も生じた。【０００６】  そこで本発明は、上記した従来技術の問題点を解消し、収納や運搬、また組み立て作業を容易とし、避難の際のプライベートな空間を確保するとともに、クッション性に優れ、快適な温度管理を実現できる災害用仕切りエアーマットを提供することにある。
【課題を解決するための手段】
【０００７】  上記課題を解決するために、本発明の災害用仕切りエアーマットは、エアーを注入することにより膨張する床面体と、床面体に立設される側面体および背面体とで構成され、前記側面体および背面体は、床面体上に等間隔で複数立設されていることを特徴とする。【０００８】  また、前記側面体および背面体を形状安定ロープにて連結した。【０００９】  また前記背面体に、床面体の上面および前面を覆うシート材を装着した。【００１０】  また前記床面体に、冷気または暖気を送風する送風機を設置した。【００１１】  エアーを注入することにより膨張する床面体および側面体と、床面体および側面体を立設した際に背部を形成する背面体とから形成される災害用仕切りエアーマット。【００１２】  さらに、前記エアーマットは接続具を介して複数連結されている。
【発明の効果】
【００１３】  エアーを注入することにより膨張する床面体と、床面体に立設される側面体および背面体とで構成され、前記側面体および背面体は、床面体上に等間隔で複数立設されており、側面体および背面体を形状安定ロープにて連結したことにより、組み立が非常に容易になるとともに、収納や運搬が簡便になり、製造コストも大幅に削減できる。【００１４】  また、床面体に冷気または暖気を送風する送風機を設置したことにより、気温の低い冬季や高温になる夏季においても、快適な避難生活を送ることができる。
【図面の簡単な説明】
【００１５】
【図１】本発明の災害用仕切りエアーマットの全体斜視図である。
【図２】側面体と背面体を折り畳んだ状態の災害用仕切りエアーマットである。
【図３】前記エアーマットの断面図である。
【図４】床面体の内部構造を示す。
【図５】エアーマットにシート材を装着した状態を示す。
【図６】他の好適例、災害用仕切りエアーマットを示す。
【図７】本発明の災害用仕切りエアーマットの使用状態を示す。
【発明を実施するための最良の手段】
【００１６】  以下、本発明における災害用仕切りエアーマットの実施の形態を図面に基づいて説明する。
本発明の災害用仕切りエアーマットは、災害の際に使用される避難用のエアーマットであり、特に、収納や運搬、また組み立て作業を容易とし、避難の際のプライベートな空間を確保するとともに、クッション性に優れ、快適な温度管理を実現できることを特徴とする。
【００１７】  図１乃至図３に示す災害用仕切りエアーマット１は、エアーを注入することにより膨張する床面体２と、床面体２に立設される側面体３および背面体４とで構成され、前記側面体３および背面体４は、前記床面体２上に等間隔で複数立設されている。
【００１８】  床面体２は、避難者が横臥することができる適宜強度を有するシート材からなり、空気を注入することにより膨張し、クッション性の高い肉厚状に形成されている。また前記床面体２は、最小寸法でも奥行きａが約２０００ｃｍを有し、一区画の幅ｂが２０００〜３０００ｃｍを呈する。また前記床面体２は、設置される区画数により任意の長さに形成することができる。なお、前記床面体２は空気を注入しないときは薄いシート状を呈するため、後述詳細の送風機２０を分割させることにより、エアーマット１を丸めて収納することができる。
【００１９】  また床面体２の内部には、図４に示すように、長尺中空状のチューブ５が配設されている。そのため、前記床面体２にエアーを注入することでチューブ５が膨張し、床面体２を適宜厚さに形成させることができる。
【００２０】  側面体３は軽くて目隠しの目的を有するシートにて形成されており、床面体２上に等間隔で複数立設されている。床面体２上に側面体３を立設することで、図示するように、床面体２上に適宜幅の複数の仕切りが形成される。
【００２１】  背面体４は強度を有するシートにて形成されており、床面体２上であって、側面体３に対して略直角状に立設されている。背面体４を床面体２上に立設することで、側面体３および背面体４で複数の区画部屋６が形成される。
【００２２】  前記区画部屋６の大きさは特に限定されたものではないが、避難者３〜４人が横臥できる大きさ、最小寸法でも奥行きが約２０００ｃｍ、幅が２０００〜３０００ｃｍ程度に形成することが望ましい。
【００２３】  また、前記側面体３および背面体４は形状安定ロープ７，８にて連結されている。形状安定ロープ７は、側面体３の前方上部に形成された孔部９内に挿通され、図７に示すように、体育館Ａ等の壁面等に連結することで、エアーマット１および側面体３の強度を向上させることができる。また形状安定ロープ８は、背面体４の上部の孔部１０に装着されたリング体１１に挿通され、体育館Ａの壁面等に連結することで、エアーマット１および背面体４の安定を向上させることができる
【００２４】  また他の好適例として、図５に示すように、前記背面体４に、床面体２の上面および前面を覆うシート材１２を装着することができる。シート材１２は適宜強度と軽さや目隠しを有する素材からなり、背面体４と一体的に、もしくは着脱式に連結されている。前記シート材１２を区画部屋６の天井部および前面部に配設することで、両側面、上面、および前面を覆い隠すことができ、プライバシーの向上を実現することができる。
【００２５】  また他の好適例として、前記床面体２に、冷気または暖気を送風する送風機２０を設置した。送風機２０は、コンプレッサー２１と熱コントロールヒートポンプ２２と、床面体２内部のチューブ５の入口部５ａに連結される管体２３と、出口部５ｂに連結される管体２４とで構成されている。なお、出口部５ｂを塞ぎ、入口部５ａからエアーを給入させることにより、前記床面体２を膨張させることができる。
【００２６】  前記送風機２０において、例えば冬季に災害が発生した場合、熱コントロールヒートポンプ２２にて温熱をチューブ５に送り込む。そのことにより、温熱がチューブ５内に送気され、床面体２全体を温かく維持することができる。また夏季に災害が発生した場合、熱コントロールヒートポンプ２２にて冷気をチューブ５に送り込むことにより、冷気がチューブ５内に送気され、床面体２全体を低温状態に維持することができる。
【００２７】  また他の好適例として、図６に示すように、本発明の災害用仕切りエアーマット３０を、注入することにより膨張する床面体３１および側面体３２と、床面体３１および側面体３２を立設した際に背部を形成するシート状の背面体３３とで形成してもよい。
【００２８】  図６の（ａ）においては、前記床面体３１を折り畳んだ状態であり、この状態で給気口３４からエアーを注入すると、（ｂ）に示すように床面体３１および側面体３２が膨張し、側面体３２が立設される。側面体３２が立設される際、床面体３１および側面体３２に設置されたシート状の背面体３３が広がり、背面部を形成することができる。
【００２９】  図６の（ｃ）においては、前記エアーマット３０を連結部材３５にて複数連結した状態を示す。連結部材３５としては、特に限定されないが、利便性と強度を考慮した場合メカニカルファスナーを使用することが望ましい。また、側面体３２と背面体３３とはロープ状の連結部材３５ａで連結されている。なお、図６に示すエアーマット３０においては、家庭内での少人数で使用することにより利便性が向上する。
【００３０】  上述の構成とすることで、本発明における災害用仕切りエアーマットは、エアーを注入することにより膨張する床面体と、床面体に立設される側面体および背面体とで構成され、前記側面体および背面体は、床面体上に等間隔で複数立設されており、側面体および背面体を形状安定ロープにて連結したことにより、組み立が非常に容易になるとともに、収納や運搬が簡便になり、製造コストも大幅に削減できる。
【００３１】  また、床面体に冷気または暖気を送風する送風機を設置したことにより、気温の低い冬季や高温になる夏季においても、快適な避難生活を送ることができる。
【符号の説明】
【００３２】１    エアーマット
２    床面体
３    側面体
４    背面体
５    チューブ
５ａ  入口部
５ｂ  出口部
６    区画部屋
７    形状安定ロープ
８    形状安定ロープ
９    孔部
１０  孔部
１１  リング
１２  シート材
２０  送風気
２１  コンプレッサー
２２  熱コントロールヒートポンプ
２３  管
２４  管
３０  エアーマット
３１  床面体
３２  側面体
３３  背面体
３４  給気口
３５  連結部材
３５ａ  連結部材
ａ    奥行き
ｂ    幅
【図１】
2012057454.tif 000003
【図２】
2012057454.tif 000004
【図３】
2012057454.tif 000005
【図４】
2012057454.tif 000006
【図５】
2012057454.tif 000007
【図６】
2012057454.tif 000008
【図７】
2012057454.tif 000009